(57)【要約】【課題】便器本体の上面より下方に配置しても便器本体の外形寸法の拡大を抑えることができ、かつ便器洗浄を安定的に行うことができる便器洗浄タンクを提供する。【解決手段】便器洗浄タンクは、便鉢５１、及びこの便鉢５１の下流側に連通する便器排水路５２を有する便器本体５０に供給する洗浄水を貯水する。この便器洗浄タンクは、便鉢５１の下方空間内に配置し、便器排水路５２の形状に応じた凹部１１を上面に設けている。【選択図】図１
2014037725.tif 000002
【特許請求の範囲】
【請求項１】
便鉢、及びこの便鉢の下流側に連通する便器排水路を有する便器本体に供給する洗浄水を貯水する便器洗浄タンクであって、
前記便鉢の下方空間内に配置し、前記便器排水路の形状に応じた凹部を上面に設けていることを特徴とする便器洗浄タンク。
【請求項２】
貯水した洗浄水を前記便鉢の上部から吐水するための揚水装置を備えていることを特徴とする請求項１記載の便器洗浄タンク。
【請求項３】
床面に引き出された排水管と前記便器排水路とを接続する排水接続管を一体に設けたことを特徴とする請求項１又は２記載の便器洗浄タンク。
【請求項４】
床面に引き出された排水管と前記便器排水路とを接続する排水接続管の左右側方に洗浄水を貯水する左右貯水部を設けていることを特徴とする請求項１乃至３のいずれか１項記載の便器洗浄タンク。
【発明の詳細な説明】
【技術分野】
【０００１】
本発明は便器洗浄タンクに関する。
【背景技術】
【０００２】
特許文献１は従来の便器洗浄タンクを開示している。この便器洗浄タンクは便器本体に形成した便鉢の前部下方に設けられている。この便器洗浄タンクを備えた水洗式便器の便器本体は便鉢の下部にトラップ入口に向かって開口した吐水口を有している。この吐水口に便器洗浄タンクが連通している。また、水洗式便器は、吐水口より上流側に配置し、吐水口に向けて水道水を吐水するノズルを有している。このノズルは水道管に直結している。ノズルから吐水した水道水は、洗浄タンク内に貯水した洗浄水を巻き込み、吐水口からトラップ入口に流入する。このように、この水洗式便器は、ノズルから吐水した水道水よりも流量（単位時間当たりに流れる水量：以下同じ）の多い洗浄水をトラップ入口に流入させることができる。このため、トラップ排水路内に汚物を効率的に押し込むことができる。
【先行技術文献】
【特許文献】
【０００３】
【特許文献１】特開平１１−２６４１７３号公報
【発明の概要】
【発明が解決しようとする課題】
【０００４】
しかし、特許文献１の便器洗浄タンクはノズルから吐水する水道水に巻き込まれて吐水口から吐水する洗浄水の流量を増幅するためのものである。このため、便器洗浄タンクの貯水容量が少ない。仮に、貯水容量を多くしようとすると、便器本体が前方向に向けて大きくなるおそれがある。また、ノズルから吐水する水道水は、設置現場、使用時間等によって、給水圧力が変動するため、安定した流量の洗浄水を便器本体に供給することができない。このため、この水洗式便器は便器洗浄を良好に行えないおそれがある。
【０００５】
本発明は、上記従来の実情に鑑みてなされたものであって、便鉢の下方に配置しても便器本体の外形寸法の拡大を抑えることができ、かつ便器洗浄を安定的に行うことができる便器洗浄タンクを提供することを解決すべき課題としている。
【課題を解決するための手段】
【０００６】
本発明の便器洗浄タンクは、便鉢、及びこの便鉢の下流側に連通する便器排水路を有する便器本体に供給する洗浄水を貯水する便器洗浄タンクであって、
前記便鉢の下方空間内に配置し、前記便器排水路の形状に応じた凹部を上面に設けていることを特徴とする。
【０００７】
この便器洗浄タンクは、便器排水路の形状に応じた凹部を設けているため、便鉢の下方空間内の空いたスペースを有効に利用して洗浄水を貯水することができる。このため、この便器洗浄タンクは一回の便器洗浄を行うことができる水量の洗浄水を貯水することができる。また、この便器洗浄タンクを備えた水洗式便器は洗浄タンクに貯水した洗浄水のみで便器洗浄を実行することができるため、水道水の圧力変動に影響されることなく、毎回、一定の洗浄水量で便器洗浄を実行することができる。
【０００８】
したがって、本発明の便器洗浄タンクは、便器本体の上面より下方に配置しても便器本体の外形寸法の拡大を抑えることができ、かつ便器洗浄を安定的に行うことができる。
【図面の簡単な説明】
【０００９】
【図１】実施例１の便器洗浄タンクであって、右前方から見た斜視図である。
【図２】実施例１の便器洗浄タンクであって、左前方から見た斜視図である。
【図３】実施例１の便器洗浄タンクを備えた水洗式便器の断面図である。
【図４】実施例１の便器洗浄タンクを備えた水洗式便器の平面透視図である。
【図５】実施例２の便器洗浄タンクを備えた水洗式便器の断面図である。
【発明を実施するための形態】
【００１０】
本発明における好ましい実施の形態を説明する。
【００１１】
前記便器洗浄タンクは、貯水した洗浄水を前記便鉢の上部から吐水するための揚水装置を備え得る。この場合、便器洗浄タンクに貯水した洗浄水を便鉢の上部から吐水することができる。このため、この洗浄タンクを備えた水洗式便器は、便器洗浄水の全てを便鉢の洗浄に利用することができ、便鉢を良好に洗浄することができる。
【００１２】
前記便器洗浄タンクは、床面に引き出された排水管と前記便器排水路とを接続する排水接続管を一体に設け得る。この場合、便器洗浄タンクと排水接続管との隙間を無くすことができ、便器洗浄タンクの貯水容量を多くすることができる。
【００１３】
前記便器洗浄タンクは、床面に引き出された排水管と前記便器排水路とを接続する排水接続管の左右側方に洗浄水を貯水する左右貯水部を設け得る。この場合、便器本体の上面の外周縁よりも内側の下方空間の空きスペースを有効に利用することができ、便器洗浄タンクの貯水容量を多くすることができる。
【００１４】
次に、本発明の便器洗浄タンクを具体化した実施例１及び２について、図面を参照しつつ説明する。
【００１５】
＜実施例１＞
実施例１の便器洗浄タンクは、図１及び図２に示すように、第１タンク１０、第２タンク２０、揚水装置である電気駆動式のポンプ３０、及び後述する便器本体５０のリム通水路５１Ａに連通する第１吐水口４３と第２吐水口４４とを有する吐水管４０とを有している。
【００１６】
第１タンク１０は、図３に示すように、内部に洗浄水を貯水するタンク本体１０Ａの周囲に断熱材１０Ｂを設けた２重構造で形成されている。このため、第１タンク１０は洗浄水を貯水することによって生じ得る結露の発生を防止することができる。
【００１７】
第１タンク１０は、図１及び図２に示すように、便器洗浄タンクを後述する便器本体５０内に配置した際、後述する便器排水路５２の形状に応じた凹部１１を左右中央部の上面に設けている。
【００１８】
また、第１タンク１０は、便器洗浄タンクを後述する便器本体５０内に配置した際、後述する排水接続管６０を上下方向に挿通するために上下方向に貫通した切欠き部１２を凹部１１より後方（図１において左上方向）に設けている。第１タンク１０は切欠き部１２の前側に凹部１１から切欠き部１２に向けて上昇する傾斜部１３を設けている。
【００１９】
また、第１タンク１０は切欠き部１２の左右側方に上方に延びた左右貯水部１４Ｌ、１４Ｒを設けている。左右貯水部１４Ｌ、１４Ｒは凹部１１の前端及び左右端の一段と高くなった周縁部１５よりも上方に延びている。この左右貯水部１４Ｌ、１４Ｒは、便器洗浄タンクを便器本体５０内に配置した際、後述する排水接続管６０の左右側方に配置される。
【００２０】
第２タンク２０も貯水部の周囲に断熱材を設けた２重構造で形成されている。このため、第２タンク２０も洗浄水を貯水することによって生じ得る結露の発生を防止することができる。
【００２１】
第２タンク２０は、図２に示すように、下端部を第１タンク１０の左側（図２において手前側）の左右貯水部１４Ｌの上端部に第１連結管２１を介して連通している。
【００２２】
第２タンク２０は上端面から上方向に延びる流入管２２を有している。この流入管２２は、図示しない給水路の下流端が連結する。このため、洗浄水は、流入管２２を介して第２タンク２０に流入し、さらに第１連結管２１を介して第１タンク１０に流入する。
【００２３】
また、第２タンク２０は上端面にフロートスイッチ２３を取付けている。このフロートスイッチ２３は第２タンク２０が満水状態であるか否かを検知する。この検知信号に応じて、図示しない給水路に設けた開閉弁が開閉する。これによって、便器洗浄タンクは、第１タンク１０及び第２タンク２０を略満水状態にして、設定した水量の洗浄水を貯水することができる。
【００２４】
また、第２タンク２０は上端面に吸気部２４を設けている。この吸気部２４は、第１タンク１０及び第２タンク２０に貯水した洗浄水をポンプ３０によって排出する際に外部から空気を吸気し、第１タンク１０及び第２タンク２０内に空気を流入させることができる。このため、便器洗浄タンクは、第１タンク１０及び第２タンク２０に貯水した洗浄水の排出を良好に行うことができる。
【００２５】
また、第２タンク２０は前方に向けて延びるオーバーフロー水の排出管２５を有している。排出管２５は接続管２６を介して吐水管４０に連通している。第２タンク２０に貯水した洗浄水が設定した貯水位を超えると、この排出管２５からオーバーフロー水が排出され、接続管２６及び吐水管４０を介して後述する便器本体５０の便鉢５１内に排出される。
【００２６】
さらに、第２タンク２０は前方に向けて延びる空気流入管２７を有している。この空気流入管２７は、可撓性を有する連通管２８を介して、第１タンク１０の右側（図２において奥側）の左右貯水部１４Ｒの上端面に上方向に延びる空気流出管１６に連通している。第１タンク１０に洗浄水を貯水する際、第１タンク１０内の水位が上昇すると、第１タンク１０の右側の左右貯水部１４Ｒの上方に空気が集まる。この空気を空気流出管１６、連通管２８、及び空気流入管２７を介して、第２タンク２０内に逃がすことができる。このため、第１タンク１０の右側の左右貯水部１４Ｒも上部に空気だまりを設けることなく満水状態にすることができる。
【００２７】
ポンプ３０は、図１に示すように、略円筒状であり、下端面に流入口を有し、側面から流出管３１が外側に延びている。ポンプ３０は流入口を第１タンク１０の右側の左右貯水部１４Ｒの上端面に引き出された第２連結管１７を介して第１タンク１０に連通している。
【００２８】
吐水管４０は、図１及び図２に示すように、ポンプ３０の流出管３１に一端を連結した第１吐水管４１、及び第１吐水管４１の他端に連結し、左右方向に分岐した第２吐水管４２によって形成されている。第２吐水管４２は、第１吐水管４１に連結し、左右に分岐した分岐路４２Ａと、この分岐路４２Ａから左右に延びて左右両端から前方（図１において右下方向）に向けて屈曲した左右吐水路４２Ｌ、４２Ｒとから構成されている。右側（図２において奥側）の左右吐水路４２Ｒの先端は開口して第１吐水口４３を形成している。また、左側（図２において手前側）の左右吐水路４２Ｌの先端は閉鎖しており、先端部の側面が開口して第２吐水口４４を形成している（図２参照）。
【００２９】
このような構成を有する便器洗浄タンクを備えた水洗式便器は、図３及び図４に示すように、便器洗浄タンクの他に、便器本体５０、排水接続管６０、及び便座装置７０を備えている。
【００３０】
便器本体５０は、便鉢５１、及びこの便鉢５１の下流側に連通した便器排水路５２を有している。便鉢５１は上端周縁に形成したリム通水路５１Ａを有している。また、便鉢５１は、封水面Ｌよりは下方であって、垂直方向に開口した流出口５１Ｂを有している。便器排水路５２は、この流出口５１Ｂに連続して形成し、後方に向けて斜めに下降する第１下降流路５２Ａ、この第１下降流路５２Ａの下流側に連続して形成し、後方に向けて斜めに上昇する上昇流路５２Ｂ、及びこの上昇流路５２Ｂの下流側に連続して形成し、下降する第２下降流路５２Ｃを有している。第２下降流路５２Ｃは下流端部が垂直下方に向けて延びている。便器本体５０は、便鉢５１の封水面Ｌよりも下方の部分と、第１下降流路５２Ａと、上昇流路５２Ｂとによって、封水部を形成している。便器本体５０は、封水部の下方を覆うように、便器排水路５２の第１下降流路５２Ａ及び上昇流路５２Ｂに沿った形状の断熱材５３が取付けられている。これによって、封水部の外表面に結露が生じることを防止することができる。
【００３１】
便器本体５０は上面の外周縁から下方に延びる周壁５４を有している。この周壁５４は便器本体５０の上面の外周縁より外側に広がらずに下方に延びており、下端が床面Ｆに接している。便器本体５０は便鉢５１の下面から周壁５４の下端部に延びた補強壁５５を有している。この補強壁５５と周壁５４と便鉢５１の一部によって形成された閉鎖空間Ｃを便器本体５０は有している。また、便器本体５０は、補強壁５５より後方であって、補強壁５５と周壁５４とによって前後左右を囲まれており、下方に開口した収納空間Ｓを有している。
【００３２】
便器洗浄タンク及び排水接続管６０は収納空間Ｓ内に収納されている。この際、便器洗浄タンクは、第１タンク１０の凹部１１が封水部の下方を覆う断熱材５３を避けるようにして配置される。つまり、断熱材５３は便器排水路５２の第１下降流路５２Ａ及び上昇流路５２Ｂに沿った形状であるため、第１タンク１０の凹部１１は便器排水路５２の形状に応じて形成したものである。このように、第１タンク１０は、上面に設けた凹部１１が断熱材５３を避けることによって、便鉢５１の下方空間内に配置することができる。このため、この便器洗浄タンクは便鉢５１の下方空間内の空いたスペースを有効に利用して洗浄水を貯水することができる。
【００３３】
また、排水接続管６０は床面Ｆに引き出された排水管８０と便器排水路５２の第２下降流路５２Ｃの下流端部とを接続している。この排水接続管６０の左右側方に第１タンク１０の左右貯水部１４Ｌ、１４Ｒが配置されている。
【００３４】
このように、便器洗浄タンクは、便器本体５０の上面の外周縁よりも内側の下方空間（収納空間Ｓ）の空いたスペースを有効に利用することによって、洗浄水の貯水容量を多くすることができる。このため、この便器洗浄タンクは一回の便器洗浄を行うことができる水量の洗浄水を貯水することができる。
【００３５】
便器洗浄タンクの吐水管４０に形成された第１吐水口４３は、図４に示すように、リム通水路５１Ａに沿うように便鉢５１の右側後部から前方へ洗浄水を吐水する。第１吐水口４３から吐水した洗浄水はリム通水路５１Ａに沿って流れつつ、便鉢５１の表面に流れ落ちる。このため、便器本体５０の上面視で便鉢５１内を旋回する洗浄水の旋回流が形成される。一方、便器洗浄タンクの吐水管４０に形成された第２吐水口４４は、便鉢５１の左側後部に形成し、便鉢５１に連通した図示しない吐水室内に洗浄水を吐水する。第２吐水口４４から吐水した洗浄水は吐水室から便鉢５１の右側後部であって、便鉢５１の上部から便器排水路５２に向けて流れ落ちる。このため、第１吐水口４３から吐水され、便鉢５１内を旋回した洗浄水を便器排水路５２に押し込む流れが形成される。
【００３６】
このように、この水洗式便器は、便器洗浄タンクに貯水した洗浄水をポンプ３０の駆動によって第１吐水口４３及び第２吐水口４４から吐水し、便鉢５１の上部から吐水することができる。このため、この水洗式便器は、便器洗浄水の全てを便鉢５１の洗浄に利用することができ、便鉢５１を良好に洗浄することができる。
【００３７】
また、この水洗式便器は洗浄タンクに貯水した洗浄水のみで便器洗浄を実行することができるため、水道水の圧力変動に影響されることなく、毎回、一定の洗浄水量で便器洗浄を実行することができる。
【００３８】
したがって、実施例１の便器洗浄タンクは、便器本体５０の上面より下方に配置しても便器本体５０の外形寸法の拡大を抑えることができ、かつ便器洗浄を安定的に行うことができる。
【００３９】
便座装置７０は、便器本体５０の上面に載置された便座装置本体７１と、便座装置本体７１の前部に回動自在に軸支された便座及び便蓋７２を有している。便座装置本体７１は便器洗浄タンクの便器本体５０よりも上方に突出した第２タンク２０の一部を上方から覆うようにして収納している。
【００４０】
＜実施例２＞
実施例２の便器洗浄タンクは、図５に示すように、排水接続管１６０を一体に設けている点で実施例１と相違する。他の構成は実施例１と同様であり、同一の構成は同一の符号を付し、詳細な説明を省略する。
【００４１】
この便器洗浄タンクは、第１タンク１１０の断熱材１１０Ｂに覆われたタンク本体１１０Ａと排水接続管１６０とが一体に設けられている。このため、第１タンク１１０と排水接続管１６０との隙間を無くすことができ、第１タンク１１０の貯水容量を多くすることができる。このため、第１タンク１１０を有する便器洗浄タンクは一回の便器洗浄を行うことができる水量の洗浄水を貯水することができる。
【００４２】
また、この便器洗浄タンクを備えた水洗式便器は、洗浄タンクに貯水した洗浄水のみで便器洗浄を実行することができるため、水道水の圧力変動に影響されることなく、毎回、一定の洗浄水量で便器洗浄を実行することができる。
【００４３】
したがって、実施例２の便器洗浄タンクも、便器本体５０の上面より下方に配置しても便器本体５０の外形寸法の拡大を抑えることができ、かつ便器洗浄を安定的に行うことができる。
【００４４】
本発明は上記記述及び図面によって説明した実施例１及び２に限定されるものではなく、例えば次のような実施例も本発明の技術的範囲に含まれる。
（１）実施例１及び２では、便器洗浄タンクが第２タンクを有していたが、第２タンクが無くてもよい。
（２）実施例１及び２では、便器洗浄タンクの第１タンクが左右貯水部を有していたが、左右貯水部が無くてもよい。又は、第１タンクの左右の一方のみに貯水部を設けてもよい。
（３）実施例１及び２では電気駆動式のポンプを利用したが、水流を利用したジェットポンプを利用してもよい。
（４）実施例１及び２では、便器洗浄タンクに貯水した洗浄水の全てを便鉢の上部から吐水し、便鉢の洗浄に利用したが、便器洗浄タンクに貯水した洗浄水の一部を便器排水路に向けて吐水するジェット口から吐水するようにしてもよい。
（５）実施例１及び２では、第１吐水口と第２吐水口を有し便鉢の上部の２か所から洗浄水を吐水したが、便鉢の上部の１か所から洗浄水を吐水するようにしてもよい。
（６）実施例１及び２では、凹部を便器排水路の形状に応じた曲面で形成したが、凹部を曲面でなく平面によって形成してもよい。
（７）実施例１及び２では、凹部の前端及び左右端に一段と高くなった周縁部を形成することによって、便器洗浄タンク（第１タンク）の前後方向及び左右方向において便器排水路の形状に応じるように形成したが、洗浄タンクの前後方向のみ、又は左右方向のみを便器排水路の形状に応じるように形成してもよい。
【符号の説明】
【００４５】
１０…第１タンク
１１…凹部
１４Ｌ、１４Ｒ…（左右貯水部）
２０…第２タンク
３０…ポンプ（揚水装置）
５０…便器本体
５１…便鉢
５２…便器排水路（５２Ａ…第１下降流路、５２Ｂ…上昇流路、５２Ｃ…第２下降流路）
６０、１６０…排水接続管
８０…排水管
Ｓ…収納空間（下方空間）
Ｆ…床面
【図１】
2014037725.tif 000003
【図２】
2014037725.tif 000004
【図３】
2014037725.tif 000005
【図４】
2014037725.tif 000006
【図５】
2014037725.tif 000007